【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
複数種類の図柄を表示した複数のリールと、
各前記リールに対応して設けられ、前記リールの回転を停止させるときに遊技者が操作するストップスイッチと、
特定役を含む役の抽選を行う役抽選手段と、
前記ストップスイッチが操作されたときに、前記役抽選手段の役の抽選結果に基づいて前記リールを停止制御するリール停止制御手段と
を備え、
前記リール停止制御手段は、
前記役抽選手段で前記特定役に当選したときは、前記リールの停止可能位置の範囲内において、前記特定役に対応する図柄の組合せを有効ラインに停止させる第１停止制御と、前記特定役に対応する図柄の組合せが必ずしも有効ラインに停止しない第２停止制御とを有し、
前記役抽選手段で前記特定役に当選したときに、前記第１停止制御又は前記第２停止制御のいずれが行われるかは、最初に操作された前記ストップスイッチがどのストップスイッチであるかによって決定されるようにし、
前記役抽選手段で前記特定役に当選した場合において、前記第１停止制御が行われる前記ストップスイッチが最初に操作されたときは、前記リールについて前記第１停止制御を行い、前記特定役に対応する図柄の組合せを有効ラインに停止させるように制御し、
前記役抽選手段で前記特定役に当選した場合において、前記第２停止制御が行われる前記ストップスイッチが最初に操作されたときは、複数の前記リールのうちの少なくとも１つの特定リールについて前記第２停止制御を行うとともに、前記特定リールについては、前記特定役に係る図柄を遊技者が所望の有効ラインに停止させることができるタイミングで前記ストップスイッチを操作したときは前記特定役に対応する図柄の組合せを有効ラインに停止させるように制御する
ことを特徴とするスロットマシン。
【請求項２】
請求項１に記載のスロットマシンにおいて、
前記役抽選手段で前記特定役に当選し、前記第１停止制御が行われる前記ストップスイッチが最初に操作されたときは、その後の前記ストップスイッチの操作順番にかかわらず、常に、前記特定役に対応する図柄の組合せを有効ラインに停止させるように制御する
ことを特徴とするスロットマシン。
【請求項３】
請求項１又は請求項２に記載のスロットマシンにおいて、
前記役抽選手段で前記特定役に当選したときに、前記第１停止制御が行われるための最初に操作すべき前記ストップスイッチに関する内容を報知する報知手段を備える
ことを特徴とするスロットマシン。
【請求項４】
請求項１から請求項３までのいずれか１項に記載のスロットマシンにおいて、
前記特定リールには、前記第２停止制御によって前記特定役に係る図柄の１つを所望の有効ラインに常に停止させることができないように、前記特定役に係る図柄が配列されており、
前記特定リール以外の前記リールには、前記第２停止制御によって前記特定役に係る図柄の１つを所望の有効ラインに常に停止させることができるように、前記特定役に係る図柄が配列されている
ことを特徴とするスロットマシン。
【手続補正２】
【補正対象書類名】明細書
【補正対象項目名】０００７
【補正方法】変更
【補正の内容】
【０００７】
本発明は、以下の解決手段によって、上述の課題を解決する。
（請求項１）
請求項１の発明は、複数種類の図柄を表示した複数のリールと、各前記リールに対応して設けられ、前記リールの回転を停止させるときに遊技者が操作するストップスイッチと、特定役を含む役の抽選を行う役抽選手段と、前記ストップスイッチが操作されたときに、前記役抽選手段の役の抽選結果に基づいて前記リールを停止制御するリール停止制御手段とを備え、前記リール停止制御手段は、前記役抽選手段で前記特定役に当選したときは、前記リールの停止可能位置の範囲内において、前記特定役に対応する図柄の組合せを有効ラインに停止させる第１停止制御と、前記特定役に対応する図柄の組合せが必ずしも有効ラインに停止しない第２停止制御とを有し、前記役抽選手段で前記特定役に当選したときに、前記第１停止制御又は前記第２停止制御のいずれが行われるかは、最初に操作された前記ストップスイッチがどのストップスイッチであるかによって決定されるようにし、前記役抽選手段で前記特定役に当選した場合において、前記第１停止制御が行われる前記ストップスイッチが最初に操作されたときは、前記リールについて前記第１停止制御を行い、前記特定役に対応する図柄の組合せを有効ラインに停止させるように制御し、前記役抽選手段で前記特定役に当選した場合において、前記第２停止制御が行われる前記ストップスイッチが最初に操作されたときは、複数の前記リールのうちの少なくとも１つの特定リールについて前記第２停止制御を行うとともに、前記特定リールについては、前記特定役に係る図柄を遊技者が所望の有効ラインに停止させることができるタイミングで前記ストップスイッチを操作したときは前記特定役に対応する図柄の組合せを有効ラインに停止させるように制御することを特徴とする。
【手続補正３】
【補正対象書類名】明細書
【補正対象項目名】０００８
【補正方法】変更
【補正の内容】
【０００８】
（請求項２）
請求項２の発明は、請求項１に記載のスロットマシンにおいて、前記役抽選手段で前記特定役に当選し、前記第１停止制御が行われる前記ストップスイッチが最初に操作されたときは、その後の前記ストップスイッチの操作順番にかかわらず、常に、前記特定役に対応する図柄の組合せを有効ラインに停止させるように制御することを特徴とする。
【手続補正４】
【補正対象書類名】明細書
【補正対象項目名】０００９
【補正方法】変更
【補正の内容】
【０００９】
（請求項３）
請求項３の発明は、請求項１又は請求項２に記載のスロットマシンにおいて、前記役抽選手段で前記特定役に当選したときに、前記第１停止制御が行われるための最初に操作すべき前記ストップスイッチに関する内容を報知する報知手段を備えることを特徴とする。
【手続補正５】
【補正対象書類名】明細書
【補正対象項目名】００１０
【補正方法】変更
【補正の内容】
【００１０】
（請求項４）
請求項４の発明は、請求項１から請求項３までのいずれか１項に記載のスロットマシンにおいて、前記特定リールには、前記第２停止制御によって前記特定役に係る図柄の１つを所望の有効ラインに常に停止させることができないように、前記特定役に係る図柄が配列されており、前記特定リール以外の前記リールには、前記第２停止制御によって前記特定役に係る図柄の１つを所望の有効ラインに常に停止させることができるように、前記特定役に係る図柄が配列されていることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】変更
【補正の内容】
【００２８】
本発明によれば、特定役の当選時には、第１停止制御が行われるストップスイッチが最初に操作されれば、特定役が入賞するように制御することができる。これに対し、第２停止制御が行われるストップスイッチが最初に操作されれば、特定役が必ずしも入賞しないように制御することができる。ただし、第２停止制御が行われるストップスイッチが最初に操作されたときであっても、遊技者がタイミングよくストップスイッチを操作したときは、特定役を入賞させることができる。
また、最初に操作すべきストップスイッチが報知されれば、遊技者は、その報知に従うことで、特定役を入賞させることができる。
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】